(57)【要約】【課題】  防塵ネットが放音孔部の形状に依存せず、その取付作業が容易にできる。【解決手段】  スピーカ１８に防塵ネット１９を取り付け、この防塵ネット１９でスピーカ１８の放音面側を覆ったことにより、放音孔部１６がカメラ本体１の下面における複雑な形状のコーナ部付近に設けられていても、防塵ネット１９が放音孔部１６の形状に依存しないため、防塵ネット１９を容易に取り付けることができ、この防塵ネット１９によってスピーカ１８を確実に防塵することができる。また、放音孔部１６をカメラ本体１と共に囲むスピーカ保持部材１７がカメラ本体１内に設けられ、このスピーカ保持部材１７にスピーカ１８が取り付けられているので、ゴミなどの異物が放音孔部１６側から侵入しても、防塵ネット１９によってスピーカ１８への影響を防ぐことができ、且つスピーカ保持部材１７によってスピーカ１８よりもカメラ本体１の内側への異物の侵入を阻止できる。【選択図】        図３
2005051644.tif 000002
【特許請求の範囲】
【請求項１】
放音孔部を有する機器ケースと、
この機器ケース内に前記放音孔部と間隔をあけて配置されるスピーカと、
このスピーカの放音面に設けられた防塵ネットと
を備えたことを特徴するスピーカの防塵構造。
【請求項２】
放音孔部を有する機器ケースと、
この機器ケースの内部に設けられて前記放音孔部を前記機器ケースと共に囲むスピーカ保持部材と、
このスピーカ保持部材に放音面側を前記放音孔部から離して取り付けられたスピーカと、
このスピーカに前記放音面側を覆って取り付けられた防塵ネットと
を備えたことを特徴するスピーカの防塵構造。
【請求項３】
前記スピーカはその放音面側を前記機器ケースの一面に対向させた状態で配置され、前記放音孔部は前記スピーカの放音面側に対向する前記機器ケースの前記一面と隣接する前記機器ケースの側面に設けられていることを特徴とする請求項１または２に記載のスピーカの防塵構造。
【発明の詳細な説明】
【技術分野】
【０００１】
この発明は、電子カメラや携帯電話機などの各種の電子機器に用いられるスピーカの防塵構造に関する。
【背景技術】
【０００２】
従来、電子機器に組み込まれるスピーカの防塵構造は、多数の放音孔を有する放音孔部が設けられた機器ケースの内面に防塵ネットを放音孔部に対応させて取り付け、この防塵ネットに対向させてスピーカを機器ケース内に取り付けた構造になっている。この場合、防塵ネットを機器ケースに取り付けるために、防塵ネットの周囲にスペーサを取り付けると共に、機器ケースの内面に放音孔部を囲む位置決めリブを設け、この位置決めリブに防塵ネットをスペーサと共に位置決めして取り付けている。
【０００３】
しかしながら、このようなスピーカの防塵構造では、機器ケースが複雑に湾曲した形状に形成され、その複雑な形状の個所に放音孔部が設けられていると、その複雑な形状に沿わせて防塵ネットを密着させて取り付けることが難しく、防塵ネットの取付作業が面倒であるという不都合がある。特に、放音孔部が機器ケースの側面のコーナ部分に設けられている場合には、防塵ネットの取付作業が更に面倒になる。
【特許文献１】特開平１１−４４９３号公報
【発明の開示】
【発明が解決しようとする課題】
【０００４】
この発明が解決しようとする問題点は、防塵ネットが放音孔部の形状に依存することにある。
【課題を解決するための手段】
【０００５】
請求項１に記載の発明は、放音孔部を有する機器ケースと、この機器ケース内に前記放音孔部と間隔をあけて配置されるスピーカと、このスピーカの放音面に設けられた防塵ネットとを備えたことを特徴するスピーカの防塵構造である。
【０００６】
請求項２に記載の発明は、放音孔部を有する機器ケースと、この機器ケースの内部に設けられて前記放音孔部を前記機器ケースと共に囲むスピーカ保持部材と、このスピーカ保持部材に放音面側を前記放音孔部から離して取り付けられたスピーカと、このスピーカに前記放音面側を覆って取り付けられた防塵ネットとを備えたことを特徴するスピーカの防塵構造である。
【０００７】
請求項３に記載の発明は、前記スピーカがその放音面側を前記機器ケースの一面に対向させた状態で配置され、前記放音孔部が前記スピーカの放音面側に対向する前記機器ケースの前記一面と隣接する前記機器ケースの側面に設けられていることを特徴とする請求項１または２に記載のスピーカの防塵構造である。
【発明の効果】
【０００８】
請求項１に記載の発明によれば、スピーカの放音面に防塵ネットを設けたことにより、放音孔部が機器ケースの複雑な形状をしている個所に設けられていても、防塵ネットが放音孔部の形状に依存することがないため、防塵ネットの取付作業が容易にできると共に、この防塵ネットによってスピーカを確実に防塵することができる。
【０００９】
請求項２に記載の発明によれば、スピーカにその放音面側を覆う防塵ネットを取り付けたので、請求項１に記載の発明と同様、防塵ネットが放音孔部の形状に依存することがなく、防塵ネットの取付作業が容易にできると共に、この防塵ネットによってスピーカを確実に防塵することができるほか、放音孔部を機器ケースと共に囲むスピーカ保持部材が機器ケースの内部に設けられ、このスピーカ保持部材にスピーカがその放音面側を放音孔部から離して取り付けられているので、ゴミなどの異物が放音孔部側から侵入しても、防塵ネットによってスピーカへの影響を確実に防ぐことができると共に、スピーカ保持部材によってスピーカよりも機器ケースの内側への異物の侵入を阻止することができる。
【００１０】
請求項３に記載の発明によれば、放音孔部がスピーカの放音面側に対向する機器ケースの一面と隣接する機器ケースの側面に設けられているので、スピーカの放音面側が機器ケースの一面に対向していても、スピーカの音を機器ケースの一面と隣接する機器ケースの側面側から放音させることができ、これによりスピーカの放音面側と反対側でもスピーカの音を聞くことができるほか、機器ケース内へのスピーカの取付方向および取付位置が制約されないため、スピーカを機器ケース内に自由に設置することができる。
【発明を実施するための最良の形態】
【００１１】
以下、図１〜図５を参照して、この発明を電子カメラに適用した一実施形態について説明する。
図１はこの発明の電子カメラを前面側から見た斜視図、図２はその電子カメラを後面側から見た斜視図、図３は図１のＡ−Ａ矢視における拡大断面図、図４は図３のＢ−Ｂ矢視における拡大断面図、図５は図４のスピーカの拡大正面図である。
この電子カメラは、図１および図２に示すように、カメラ本体１を備えている。このカメラ本体１はフロントケース２とリアケース３とからなっており、これらフロントケース２およびリアケース３はステンレスなどの剛性の高い金属製の薄板で形成されている。
【００１２】
このカメラ本体１の前面つまりフロントケース２の前面における右上隅には、図１に示すように、撮影部４が設けられており、その左側に位置する個所には光学ファインダ５およびマイク部６が上下に並んで設けられ、その更に左側に位置する個所にはストロボ発光部７が設けられている。このカメラ本体１の上面における左側（図２では上面の右側）には、シャッタ釦８および電源釦９が左右に並んで設けられている。
【００１３】
また、このカメラ本体１の後面つまりリアケース３の後面（図２では前面）における左側に位置する個所には、図２に示すように、表示部１０が設けられており、その右側に位置する複数個所には、各種のメニューキー１１〜１３が上下左右に並んで設けられている。これら各種のメニューキー１１〜１３の右下側に位置する個所には、十字方向に操作可能なカーソルキー１４が設けられており、表示部１０の上側に位置する個所には、フロントケース２側から連続する光学ファインダ５が設けられている。
【００１４】
一方、カメラ本体１の内部には、図１に点線で示すように、スピーカ部１５が撮影部４の下側に位置し、且つ表示部１０の裏面に対応して配置されている。このスピーカ部１５は、図３および図４に示すように、カメラ本体１の下面つまりフロントケース２の下面に設けられた放音孔部１６と、カメラ本体１の内部に設けられて放音孔部１６をカメラ本体１のフロントケース２と共に囲むスピーカ保持部材１７と、このスピーカ保持部材１７に取り付けられたスピーカ１８と、このスピーカ１８にその放音面側を覆って取り付けられた防塵ネット１９とを備えた構成になっている。
【００１５】
この場合、スピーカ保持部材１７は、シリコーンゴムなどの弾性を有する合成樹脂からなり、図３および図４に示すように、スピーカ１８を囲むと共に放音孔部１６側が開放されたコ字状の枠部２０と、この枠部２０の底部に設けられてスピーカ１８を載置すると共にスピーカ１８の裏面部が挿入する挿入孔（または挿入凹部）を有する載置部２１と、この載置部２１の放音孔部１６側の端部（図３では下端部）に設けられてカメラ本体１の内側下面つまりリアケース３の内側下面に当接する当接部２２とを備え、これら枠部２０、載置部２１、および当接部２２を一体に形成した構成になっている。
【００１６】
すなわち、このスピーカ保持部材１７は、図３に示すように、載置部２１の挿入孔にスピーカ１８の裏面部を挿入させてスピーカ１８を載置部２１に載置して取り付けた状態で、当接部２２をリアケース３の内側下面に当接させてカメラ本体１内に配置されると、枠部２０の周囲の先端面（図３では周囲の左端面）がフロントケース２の内側前面に弾接して密着し、これによりカメラ本体１のフロントケース２と共にスピーカ１８で発生した音を放音孔部１６に導く空間部２３を形成するように構成されている。
【００１７】
スピーカ１８は、図３に示すように、その放音面側がフロントケース２の内側前面に対向し、且つその裏面部がスピーカ保持部材１７の載置部２１に設けられた挿入孔に挿入した状態で、スピーカ保持部材１７の載置部２１に配置されている。防塵ネット１９は、図３〜図５に示すように、スピーカ１８に直接取り付けられてスピーカ１８の放音面側を覆う構造でも良く、またリング状のパッキン（図示せず）を介してスピーカ１８に取り付けられてスピーカ１８の放音面側を覆う構造でも良い。放音孔部１６は、図４に示すように、複数の放音孔１６ａを有し、図３に示すように、スピーカ１８の放音面が対向するフロントケース２の前面と隣接するフロントケース２の側面、つまりフロントケース２の前面と直交して隣接するフロントケース２の下面に設けられ、これによりカメラ本体１の下面側からスピーカ１８の音を外部に放音するように構成されている。
【００１８】
このような電子カメラでは、光学ファインダ５を覗いて被写体を撮影部４で撮影すると、その被写体の画像が表示部１０に表示されると共に、撮影時の音をマイク部６で取り込み、この取り込んだ音をスピーカ部１５で再生することにより、表示部１０に表示された撮影画像を見ながらスピーカ部１５で放音された音を聞くことができる。すなわち、スピーカ部１５のスピーカ１８が音を発生すると、その音がスピーカ保持部材１７とカメラ本体１とで囲われた空間部２３で導かれてカメラ本体１の下面の放音孔部１６から外部に放音されるので、スピーカ１８がカメラ本体１の前面に対向して表示部１０と反対側に向いていても、表示部１０に表示された画像を見ながら良好にスピーカ１８の音を聞くことができる。
【００１９】
このように、この電子カメラにおけるスピーカの防塵構造によれば、スピーカ１８に防塵ネット１９を取り付け、この防塵ネット１９でスピーカ１８の放音面側を覆っているので、カメラ本体１が複雑な形状をし、且つこの複雑な形状の個所、例えば図３に示すようにカメラ本体１のフロントケース２の下面におけるコーナ部付近に放音孔部１６が設けられていても、防塵ネット１９が放音孔部１６の形状に依存することがないため、防塵ネット１９の取付作業が容易にできると共に、この防塵ネット１９によってスピーカ１８を確実に防塵することができる。
【００２０】
この場合、スピーカ保持部材１７が放音孔部１６をカメラ本体１と共に囲んだ状態でカメラ本体１の内部に設けられ、このスピーカ保持部材１７の載置部２１にスピーカ１８が放音孔部１６から離れて取り付けられているので、ゴミなどの異物が放音孔部１６側から侵入しても、防塵ネット１９によってスピーカ１８への影響を確実に防ぐことができると共に、スピーカ保持部材１７よってスピーカ１８よりもカメラ本体１の内側への異物の侵入を阻止することができる。特に、スピーカ保持部材１７が放音孔部１６をカメラ本体１と共に囲んでカメラ本体１の内部に設けられていることにより、スピーカ保持部材１７がカメラ本体１内に空間部２３を形成するので、この空間部２３によってスピーカ１８で発生した音を放音孔部１６に導いて放音孔部１６から良好に放音することができる。
【００２１】
また、放音孔部１６がスピーカ１８の放音面側に対向するカメラ本体１の前面と隣接するカメラ本体１の側面、つまりカメラ本体１のフロントケース２の前面と直交して隣接するフロントケース２の下面に設けられているので、スピーカ１８の放音面側がカメラ本体１の前面に対向していても、スピーカ１８の音をカメラ本体１の下面側から放音させることができ、これによりスピーカ１８が表示部１０と反対側に向いていても、表示部１０を見ながら良好にスピーカ１８の音を聞くことができるほか、特にカメラ本体１内へのスピーカ１８の取付方向および取付位置が制約されないため、スピーカ１８をカメラ本体１内に自由に設置することができる。
【００２２】
なお、上記実施形態では、スピーカ１８を備えた電子機器として、電子カメラに適用した場合について述べたが、これに限らず、例えば携帯電話機、電子手帳、電子辞書、ＰＤＡ（パーソナル・デジタル・アシスタント）などの各種の電子機器に広く適用することができる。
【図面の簡単な説明】
【００２３】
【図１】この発明のスピーカの防塵構造を適用した電子カメラを前面側から見た斜              視図である。
【図２】図１の電子カメラを後面側から見た斜視図である。
【図３】図１のＡ−Ａ矢視における拡大断面図である。
【図４】図３のＢ−Ｂ矢視における拡大断面図である。
【図５】図４のスピーカを示した拡大正面図である。
【符号の説明】
【００２４】
１  カメラ本体
２  フロントケース
３  リアケース
１５  スピーカ部
１６  放音孔部
１７  スピーカ保持部材
１８  スピーカ
１９  防塵ネット
２３  空間部
【図１】
2005051644.tif 000003
【図２】
2005051644.tif 000004
【図３】
2005051644.tif 000005
【図４】
2005051644.tif 000006
【図５】
2005051644.tif 000007